(57)【要約】【課題】ロール状物の両端部に設けられる支持軸を支持しただけの状態でロール状物を搬送した場合にも、ロール状物が損傷することなく搬送可能な軽量化、及び、曲げ強さに優れたロール状物搬送容器を提供する。【解決手段】方形状のパレットと、パレットに載置され、方形状の筒状体を有するとともに、筒状体における相互に対向する一対の側壁に軸受溝を有するダンボール製の胴枠と、胴枠の上部を閉塞するダンボール製の蓋とを備え、胴枠は、軸受溝がロール状物の両端部に設けられる支持軸を支持してロール状物の重量を支え受けることにより、ロール状物を筒状体内に収納することを特徴とする。【選択図】図３
2018030591.tif 000002
【特許請求の範囲】
【請求項１】
方形状のパレットと、
前記パレットに載置され、方形状の筒状体を有するとともに、前記筒状体における相互に対向する一対の側壁に軸受溝を有するダンボール製の胴枠と、
前記胴枠の上部を閉塞するダンボール製の蓋とを備え、
前記胴枠は、前記軸受溝がロール状物の両端部に設けられる支持軸を支持して前記ロール状物の重量を支え受けることにより、前記ロール状物を前記筒状体内に収納することを特徴とするロール状物搬送容器。
【請求項２】
前記パレットは、持ち上げる際の力が作用するリフト当接面を有し、
前記胴枠は、前記一対の側壁とは異なる他の一対の側壁において、少なくとも側端部から前記リフト当接面に至る間を補強する段ボール製の補強部材が配設されたことを特徴とする請求項１に記載のロール状物搬送容器。
【請求項３】
前記補強部材は、少なくとも側端部から前記リフト当接面に至る間において前記側壁に貼り合せられる補強板を備えることを特徴とする請求項２に記載のロール状物搬送容器。
【請求項４】
前記補強板は、前記他の一対の側壁の全面に貼り合せられることを特徴とする請求項３に記載のロール状物搬送容器。
【請求項５】
前記筒状体の各軸受溝に支持されたロール状物の各支持軸を上方から押圧する軸押圧部を有し、前記筒状体の一対の側壁のそれぞれに配設される軸押さえ部材を備えたことを特徴とする請求項１乃至請求項４のうちいずれか一に記載のロール状物搬送容器。
【請求項６】
前記軸押さえ部材には、前記支持軸の上部及び軸受溝の上部を合わせた形状を有し、支持軸を上部から押圧するとともに軸受溝に嵌合される嵌合部が設けられていることを特徴とする請求項５に記載のロール状物搬送容器。
【請求項７】
前記筒状体の一対の側壁における外側に配設され、前記各軸受溝及びロール状物の支持軸を被覆する被覆部材を有することを特徴とする請求項１乃至請求項４のうちいずれか一に記載のロール状物搬送容器。
【発明の詳細な説明】
【技術分野】
【０００１】
本発明は、各種シート等を軸芯の回りに巻回してなるロール状物を流通過程で搬送する際に使用されるロール状物搬送容器に関し、特に、ロール状物の両端部に設けられる支持軸を支持しただけの状態でロール状物を搬送した場合にも容器自体が変形しないため、収納されたロール状物を損傷することなく搬送可能なロール状物搬送容器に関するものである。
【背景技術】
【０００２】
従来より、各種シート等を軸芯の回りに巻回してなるロール状物を搬送する際に使用される各種の容器が提案されている。
例えば、特開２０１３−１９３７８２号公報には、外装箱における箱部長尺方向の対向する一対の側壁にロール体の軸（ロール芯）を支えるための溝を形成し、かかる２つの溝にロール体の各軸を支持した状態でロール体を搬送するように構成されたロール体梱包箱が記載されている。
【先行技術文献】
【特許文献】
【０００３】
【特許文献１】特開２０１３−１９３７８２号公報
【発明の概要】
【発明が解決しようとする課題】
【０００４】
前記特許文献１に記載されたロール体梱包箱では、箱内に設置されロール体の全体を支える湾曲したダンボール製の吊り板及び吊り板とロール体との間におかれるシートを介して、輸送時におけるロール体の変形、破損を防止してロール体の表面を保護するものではある。
【０００５】
しかしながら、文献１は、梱包箱における箱部長尺方向の対向する一対の側壁にロール体の軸（ロール芯）を支えるための溝を形成し、かかる２つの溝にロール体の各軸を支持することによって、梱包箱の中にロール体を宙吊り状態で納める構成であり、梱包箱内において、梱包箱の底面とロール体との間にスペースが生じる。したがって、ロール体が比較的重量があると、搬送手段によっては、梱包箱が撓む等の変形によってロール体を破損させてしまう虞が存在する。
【０００６】
本発明は前記従来の問題点を解消するためになされたものであり、ロール状物の両端部に設けられる支持軸を支持しただけの状態でロール状物を搬送した場合にも容器自体が変形しないため、収納されたロール状物を損傷することなく搬送可能なロール状物搬送容器を提供することを目的とする。
【課題を解決するための手段】
【０００７】
前記目的を達成するため本願の請求項１に係るロール状物搬送容器は、方形状のパレットと、パレットに載置され、方形状の筒状体を有するとともに、筒状体における相互に対向する一対の側壁に軸受溝を有するダンボール製の胴枠と、胴枠の上部を閉塞するダンボール製の蓋とを備え、胴枠は、軸受溝がロール状物の両端部に設けられる支持軸を支持してロール状物の重量を支え受けることにより、ロール状物を筒状体内に収納することを特徴とする。
【０００８】
請求項２に係るロール状物搬送容器は、請求項１のロール状物搬送容器において、パレットは、持ち上げる際の力が作用するリフト当接面を有し、胴枠は、一対の側壁とは異なる他の一対の側壁において、少なくとも側端部からリフト当接面に至る間を補強する段ボール製の補強部材が配設されたことを特徴とする。
【０００９】
請求項３に係るロール状物搬送容器は、請求項２のロール状物搬送容器において、補強部材は、少なくとも側端部からリフト当接面に至る間において側壁に貼り合せられる補強板を備えることを特徴とする。
【００１０】
請求項４に係るロール状物搬送容器は、請求項３のロール状物搬送容器において、補強板は、他の一対の側壁の全面に貼り合せられることを特徴とする。
【００１１】
請求項５に係るロール状物搬送容器は、請求項１乃至請求項４のうちいずれか一に記載のロール状物搬送容器において、筒状体の各軸受溝に支持されたロール状物の各支持軸を上方から押圧する軸押圧部を有し、筒状体の一対の側壁のそれぞれに配設される軸押さえ部材を備えたことを特徴とする。
【００１２】
請求項６に係るロール状物搬送容器は、請求項５に記載のロール状物搬送容器において、軸押さえ部材には、支持軸の上部及び軸受溝の上部を合わせた形状を有し、支持軸を上部から押圧するとともに軸受溝に嵌合される嵌合部が設けられていることを特徴とする。
【００１３】
請求項７に係るロール状物搬送容器は、請求項１乃至請求項４のうちいずれか一に記載のロール状物搬送容器において、筒状体の一対の側壁における外側に配設され、各軸受溝及びロール状物の支持軸を被覆する被覆部材を有することを特徴とする。
【発明の効果】
【００１４】
請求項１に係るロール状物搬送容器では、方形状のパレットに載置されるダンボール製の胴枠は、相互に対向する一対の側壁に軸受溝を有する方形状で、筒状体を有するため、軽量化、及び、曲げ強さ、剛性に優れており、筒状体内に収納されるロール状物を損傷させることなく搬送することが可能となる。
【００１５】
請求項２に係るロール状物搬送容器では、胴枠は、一対の側壁とは異なる他の一対の側壁において、少なくとも側端部からリフト当接面に至る間を補強する段ボール製の補強部材が配設されているため、ロール状物搬送容器をリフト当接面で持ち上げた際、胴枠の側端部からリフト当接面に至る間が補強され、ロール状物の自重による胴枠の変形や潰れなどを防止することができる。筒状体内に収納されるロール状物を損傷させることなく搬送することが可能となる。
【００１６】
請求項３に係るロール状物搬送容器では、補強部材は、少なくとも側端部からリフト当接面に至る間において側壁に貼り合せられる補強板を備えることで、ロール状物搬送容器をリフト当接面で持ち上げた際のロール状物の自重による胴枠の変形や潰れなどを防止することができる。
【００１７】
請求項４に係るロール状物搬送容器では、補強板は、一対の側壁とは異なる他の一対の側壁の全面に貼り合せられるため、さらに曲げ強さ、剛性に優れており、ロール状物搬送容器をリフト当接面で持ち上げた際の胴枠の変形や潰れなどを確実に防止することができる。
【００１８】
請求項５に係るロール状物搬送容器では、筒状体の各軸受溝に支持されたロール状物の各支持軸を上方から押圧する軸押圧部を有し、筒状体の一対の側壁のそれぞれに配設される軸押さえ部材を備えたので、ロール状物の両端部に設けられる支持軸を筒状体の軸受溝に支持しただけの状態でロール状物を搬送した場合にも、各支持軸は軸押さえ部材の軸押圧部により上方から押圧されるので、各軸受け溝内で支持軸が上下動することを確実に防止することができる。これにより、ロール状物を安定的に搬送することが可能となる。
【００１９】
請求項６に係るロール状物搬送容器では、軸押さえ部材にて、支持軸の上部及び軸受溝の上部を合わせた形状を有し、支持軸を上部から押圧するとともに軸受溝に嵌合される嵌合部が設けられているので、各軸受溝に支持される支持軸は、軸押さえ部材の嵌合部により上方から押圧され、各軸受け溝内で支持軸が上下動することをより確実に防止することができる。
【００２０】
請求項７に係るロール状物搬送容器では、筒状体の一対の側壁における外側に配設され、各軸受溝及びロール状物の支持軸を被覆する被覆部材を有するので、被覆部材により、胴枠を構成する筒状体の一対の側壁における各軸受溝やロール状物の各支持軸を被覆して外部より見えなくすることができる。
【図面の簡単な説明】
【００２１】
【図１】第１実施形態に係るロール状物搬送容器の分解斜視図であり、軸押さえ部材を省略して示す。
【図２】第１実施形態に係るロール状物搬送容器の分解斜視図であり、軸押さえ部材を省略して示す。図２（Ａ）は蓋を開放した状態のロール状物搬送容器の斜視図、図２（Ｂ）は蓋を閉塞した状態のロール状物搬送容器の斜視図である。
【図３】第１実施形態に係るロール状物搬送容器の分解斜視図であり、軸受溝を有する一対の側壁とは異なる他の側壁の全面において補強部材を配設する状態を示す斜視図である。
【図４】第１実施形態に係るロール状物搬送容器の斜視図であり、軸押さえ部材と共に示す。
【図５】第１実施形態に係るロール状物搬送容器に、軸押さえ部材を取り付けた状態を示す斜視図である。
【図６】第１実施形態に係るロール状物搬送容器において、筒状体の側壁に形成された軸受溝と軸押さえ部材の軸押圧部との関係を模式的に示す説明図である。
【図７】第２実施形態に係るロール状物搬送容器と軸押さえ部材との関係を示す斜視図である。
【図８】第２実施形態に係るロール状物搬送容器に軸押さえ部材を取り付けた状態を示す斜視図である。
【図９】第２実施形態に係るロール状物搬送容器に軸押さえ部材を取り付けた後被覆材により軸受溝及びロール状物の支持軸を被覆した状態を示す斜視図である。
【図１０】他の実施形態に係るロール状物搬送容器において、筒状体の側壁に形成された軸受溝と軸押さえ部材の軸押圧部との関係を模式的に示す説明図である。
【発明を実施するための形態】
【００２２】
以下、本発明を具体化した実施形態に基づき、本発明に係るロール状物搬送容器について説明する。
先ず、第１実施形態に係るロール状物搬送容器について、図１乃至図６に基づき説明する。
【００２３】
第１実施形態に係るロール状物搬送容器１は、図１乃至図６に示すように、基本的にパレット２、胴枠３、及び蓋４を備えて構成されており、これらのパレット２、胴枠３、蓋４は、段ボール製である。
【００２４】
ここに、パレット２は、所謂、フォークリフトにより搬送可能な構成を有し、パレット２の下部には、脚部２Ａが設けられ、また、各脚部２Ａの間にはフォークリフトのフォークが挿入されるフォーク孔２Ｂが設けられている。さらに、パレット２の上部には、箱状のトレイ２Ｃが設けられており、このトレイ２Ｃの下面を、リフト等で持ち上げる際の力が作用するリフト当接面２Ｃ１とする。
【００２５】
パレット２の上方には、胴枠３が配置される。胴枠３は、パレット２のトレイ２Ｃに嵌合載置される方形状の筒状体３Ａを有している。かかる筒状体３Ａは、１枚のダンボールから一体に形成され、方形形状を維持するように接着剤や針金等により強固に接合されている。
【００２６】
筒状体３Ａにおいて、相互に対向する一対の側壁３Ｂには、軸受溝３Ｃが形成されている。各軸受溝３Ｃには、ロール状物６の両端部６Ａに設けられる支持軸６Ｂが支持される。これにより、ロール状物６は、支持軸６Ｂが軸受溝３Ｃに支持されることにより、筒状体３Ａ内で収納支持される。換言すると、胴枠３は、軸受溝３Ｃがロール状物６の両端部６Ａに設けられる支持軸６Ｂを支持してロール状物６の重量を支え受けることにより、ロール状物６を筒状体３Ａ内に収納する。
【００２７】
尚、胴枠３の筒状体３Ａを形成する段ボール材料は、強度をアップするため複数枚の段ボール板を積層して使用してもよい。
【００２８】
次に、補強部材について説明する。
補強部材は、一対の側壁３Ｂとは異なる他の一対の側壁３Ｄにおいて、少なくとも側端部３Ｄ１からリフト当接面２Ｃ１に至る間を補強するものである。すなわち、フォークリフトのフォークをパレット２の下部のフォーク孔２Ｂに挿入してロール状物搬送容器１を持ち上げた際、ロール状物６の自重が、フォークが当接するリフト当接面２Ｃ１と軸受溝３Ｃにかかる結果、他の一対の側壁３Ｄにおいて、側端部３Ｄ１からリフト当接面２Ｃ１に至る間にかかる荷重を支えることができる。補強部材を配設する領域は、側壁３Ｄの全面に配設してもよいし、側壁３Ｄの一部であって側端部３Ｄ１からリフト当接面２Ｃ１に至る間を含む領域にあってもよい。また、形状としては、板状の他、筋違状、格子状等、どのようなものであってもよい。要は、胴枠３の弱い部分、すなわち、側端部３Ｄ１からリフト当接面２Ｃ１に至る間の他の一対の側壁３Ｄを補強することができればどのような領域に配設してもよいし、どのような形状であってもよい。
【００２９】
続いて補強部材の一例である補強板２０について、図３を参照して説明する。
補強板２０は、少なくとも側端部３Ｄ１からリフト当接面２Ｃ１に至る間において、一対の側壁３Ｂとは異なる他の一対の側壁３Ｄに貼り合せられ、補強するものである。図３においては、他の一対の側壁３Ｄのうち一方の側壁３Ｄについてのみ図示されているが、反対側の側壁３Ｄについても同様に補強されるものである。補強板２０を備える領域は、図３のように、側壁３Ｄの全面に配設してもよいし、図示しないが、側壁３Ｄの一部であって側端部３Ｄ１からリフト当接面２Ｃ１に至る間を含む領域にあってもよい。また、形状としては、例えば、平面視略Ｌ字状とし、側壁３Ｂ及び側壁３Ｄを補強する形状であってもよい。要は、胴枠３の弱い部分を補強することができればどのような領域に配設してもよいし、どのような形状であってもよい。
【００３０】
また、ロール状物６は中心に高強度の芯体を有しており、各支持軸６Ｂは、芯体の両側から突出しているのが一般的である。芯体の長さとロール状物の幅とが同一である場合には、支持軸６Ｂを形成するために、付属品を使用して芯体の両側に支持軸６Ｂを形成する。
蓋４は、胴枠３の上部を閉塞するものである。
【００３１】
続いて、軸押さえ部材５について図４、図５に基づき説明する。軸押さえ部材５は、筒状体３Ａの一対の側壁３Ｂのそれぞれに配設されるものであり、各軸押さえ部材５は、筒状体３Ａの各軸受溝３Ｃに支持されるロール状物６の各支持軸６Ｂを上方から押圧する軸押さえ部５Ａを有する嵌合部５Ｂが設けられている。
【００３２】
ここに、軸押さえ部材５に設けられる嵌合部５Ｂは、図４に示すように、内面側（図４中左側）に突出するように、各側壁３Ｂの厚さに相当する厚さを有しており、支持軸６Ｂの上部（下向き湾曲状の軸押さえ部５Ａに相当する）及び軸受溝３Ｃの上部を合わせた形状（図６参照）を有している。
【００３３】
このように構成される嵌合部５Ｂは、その厚さに基づき、軸押さえ部５Ａにより支持軸６Ｂの上部を押圧しつつ、軸受溝３Ｃの上部に嵌合されるものである。
【００３４】
各軸押さえ部材５は、図４、図５に示すように、筒状体３Ａの一対の側壁３Ｂのそれぞれに対して、外側に配設される。
【００３５】
以上説明したように、第１実施形態に係るロール状物搬送容器１では、筒状体３Ａの各軸受溝３Ｃに支持されたロール状物６の各支持軸６Ｂを上方から押圧する軸押さえ部５Ａを有し、筒状体３Ａの一対の側壁３Ｂのそれぞれに配設される軸押さえ部材５を備えたので、ロール状物６の両端部６Ａに設けられる支持軸６Ｂを筒状体３Ａの軸受溝３Ｃに支持しただけの状態でロール状物６を搬送した場合にも、各支持軸６Ｂは軸押さえ部材５の軸押さえ部５Ａにより上方から押圧されるので、各軸受溝３Ｃ内で支持軸６Ｂが上下動することを確実に防止することができる。これにより、ロール状物６を安定的に搬送することが可能となる。
【００３６】
また、軸押さえ部材５にて、支持軸６Ｂの上部及び軸受溝３Ｃの上部を合わせた形状を有し、支持軸６Ｂを上部から押圧するとともに軸受溝３Ｃに嵌合される嵌合部５Ｂが設けられているので、各軸受溝３Ｃに支持される支持軸６Ｂは、軸押さえ部材５の嵌合部５Ｂにより上方から押圧され、各軸受溝３Ｃ内で支持軸６Ｂが上下動することをより確実に防止することができる
【００３７】
更に、軸押さえ部材５は、筒状体３Ａの１対の各側壁３Ｂにおける外側に配設されるので、軸押さえ部材５を介して、胴枠３を構成する筒状体３Ａの一対の各側壁３Ｂにおける各軸受溝３Ｃやロール状物６の各支持軸６Ｂを被覆して外部より見えなくすることができる。
【００３８】
続いて、第２実施形態に係るロール状物搬送容器について図７乃至図９に基づき説明する。尚、以下において、前記した第１実施形態に係るロール状物搬送容器１と同一の構成要素・部材については同一の番号付して説明するとともに、第２実施形態に係るロール状物搬送容器に特徴的な構成に着目して説明することとする。
【００３９】
第２実施形態に係るロール状物搬送容器１０では、図８及び図９に示すように、第１実施形態に係るロール状物搬送容器１とは異なり、軸押さえ部材１５が筒状体３Ａの各側壁３Ｂの内側に配設される。各軸押さえ部材１５には、筒状体３Ａの各軸受溝３Ｃに支持されるロール状物６の各支持軸６Ｂを上方から押圧する軸押さえ部１５Ａを有し、軸受溝３Ｃを上下反転した形状を有する押圧溝１５Ｂが設けられている。
【００４０】
このように構成される軸押さえ部材１５の押圧溝１５Ｂは、図８に示すように、各側壁３Ｂの内側において、軸押さえ部１５Ａを介して上方から各支持軸６Ｂを押圧するように、各支持軸６Ｂに上方より係合される。
【００４１】
また、筒状体３Ａの一対の各側壁３Ｂの外側には、被覆部材１６が配設されている。かかる被覆部材１６は、側壁３Ｂの下部に接合される接合部１６Ａ及び接合部１６Ａに対して回動可能に一体に形成されて側壁３Ｂの上部を被覆する被覆部１６Ｂとから構成されている。
【００４２】
従って、被覆部材１６の被覆部１６Ｂを側壁３Ｂの上部に当接すると、図９に示すように、側壁３Ｂに形成された軸受溝３Ｃ及びロール状物６の支持軸６Ｂは被覆部１６Ｂにより被覆される。
【００４３】
以上説明したように第２実施形態に係るロール状物搬送容器１０では、軸押さえ部材１５は筒状体３Ａの１対の各側壁３Ｂにおける内側に配設されるものの、筒状体３Ａの一対の各側壁３Ｂにおける外側に配設され、各軸受溝３Ｃ及びロール状物６の支持軸６Ｂを被覆する被覆部材１６を有するので、被覆部材１６を介して、胴枠３を構成する筒状体３Ａの一対の各側壁３Ｂにおける各軸受溝３Ｃやロール状物６の各支持軸６Ｂを被覆して外部より見えなくすることができる。
【００４４】
尚、本発明は、前記各実施形態１及び２により限定されるものではなく、本発明の要旨を逸脱しない範囲内で種々の改良、変形が可能であることは勿論である。
例えば、軸押さえ部材５に形成されて軸押さえ部５Ａを有する嵌合部５Ｂの形状については各種の形状が可能であり、支持軸６Ｂの上部（下向き湾曲状の軸押さえ部５Ａに相当する）及び軸受溝３Ｃの上部を合わせた形状であれば、側壁３Ｂに形成される軸受溝３Ｃの形状が図１０に示すような形状であっても可能である。
【符号の説明】
【００４５】
１、１０      ロール状物搬送容器
２            パレット
２Ｃ          トレイ
３            胴枠
３Ａ          筒状体
３Ｂ          側壁
３Ｃ          軸受溝
３Ｄ          側壁
４            蓋
５            軸押さえ部材
５Ａ          軸押さえ部
５Ｂ          嵌合部
６            ロール状物
６Ａ          両端部
６Ｂ          支持軸
１５          軸押さえ部材
１５Ａ        軸押さえ部
１５Ｂ        押圧溝
１６          被覆部材
【図１】
2018030591.tif 000003
【図２】
2018030591.tif 000004
【図３】
2018030591.tif 000005
【図４】
2018030591.tif 000006
【図５】
2018030591.tif 000007
【図６】
2018030591.tif 000008
【図７】
2018030591.tif 000009
【図８】
2018030591.tif 000010
【図９】
2018030591.tif 000011
【図１０】
2018030591.tif 000012